(57)【要約】【課題】円板体選別装置を設置する取付部材に設けられた嵌合部の位置や形状が異なっても、簡単に円板体選別装置側のボス位置を取付部材側のＵ字孔位置に合わせて取り付けることが可能な円板体選別装置を提供することを目的とする。【解決手段】装置本体の側面に設けたボスが該装置以外の取付部材のＵ字孔と嵌合する状態で使用される円板体選別装置であって、前記装置本体の側面上の前記ボスの位置が、前記Ｕ字孔の位置が異なる複数の取り付け部材に対応するように、前記ボスが嵌合する嵌合孔を複数備え、該嵌合孔へ前記ボスを嵌着可能とした。【選択図】図１
2009116534.tif 000002
【特許請求の範囲】
【請求項１】
装置本体の両側面に設けられたボスが取付部材のＵ字孔と嵌合する状態で使用される小型円板体選別装置であって、装置本体の両側面上の前記ボスの位置が、Ｕ字孔の位置が異なる複数の取付部材に対応するように、前記ボスが嵌合する嵌合孔を両側面上に複数具え、前記ボスを嵌着可能としたことを特徴とする円板体選別装置。
【発明の詳細な説明】
【技術分野】
【０００１】
本発明は、小型の円板体選別装置の取付け構造に関し、特に取り付けに使用するボスの取付位置可変機構に関する。
【背景技術】
【０００２】
一般に、機器の内部に設置され、硬貨あるいは遊技用メダル等の円板体（以下円板体と言う）の選別を行なう小型の円板体選別装置は、投入された円板体を受け入れて、適正なものと不適正なものとに選別するものであって、その設置には、ブラケット若しくはホルダー若しくはチャンネル等と呼ばれる専用の取付部材が用いられ、円板体選別装置側面から突出したボス部が、前記専用の取付部材に設けられたＵ字孔に嵌合し、設置姿勢が保たれる。（例えば、特許文献１参照）
【０００３】
図５は、上述した従来技術を説明するための概念斜視図である。図５に示す従来の円板体選別装置１００は、装置本体に、上面に設けられた円板体投入口１０１と、側面に設けられた適正円板体の出口１０２と、底面に設けられた図示しない不適正な円板体の出口を備える。また両側面の計４箇所に円柱形状のボス１０３、１０４,１０５、１０６が一体に成形されている。尚、従来技術では、ボスを金属とし、ネジ部を設けて装置本体にネジ固定するものもある。
【０００４】
図５に示す円板体選別装置１００を設置する取付部材１０７には、円板体選別装置の両側面を挟むように設けられた一対の壁１０８、１０９と、前記円板体選別装置のボスが嵌合する略Ｕ字形状の長孔からなるＵ字孔１１０、１１１、１１２、１１３が設けられている。
【０００５】
そして、前記一対の壁１０８、１０９に設けられたＵ字孔１１０、１１１、１１２、１１３へ円板体選別装置のボス１０３、１０４,１０５、１０６をそれぞれ嵌合させることで円板体選別装置１が使用状態の姿勢で取付けられる。
【０００６】
【特許文献１】特開２００１−１５５２０６
【発明の開示】
【発明が解決しようとする課題】
【０００７】
ところで、従来のボスは、前記取付部材に設けられたＵ字孔の位置や形状に対応させて円板体選別装置本体に一体に成形されているため、該Ｕ字孔の位置や形状が異なる取付部材には搭載することが出来なかった。
また、従来のネジ部が設けられたボスの場合、取付部材に設けられたＵ字孔の位置や形状に対応させてボスを円板体選別装置に固定する作業に時間がかかった。
【０００８】
この発明は、上述した事情に鑑み、円板体選別装置を設置する取付部材側に設けられたＵ字孔の位置や形状が異なっても、簡単に円板体選別装置側のボス位置を取付部材側のＵ字孔の位置にあわせることができ、円板体選別装置を取り付けることが可能な円板体選別装置を提供することを目的とする。
【課題を解決するための手段】
【０００９】
上記課題を解決するために、本発明は、装置本体の両側面に設けられたボスが取付部材のＵ字孔と嵌合する状態で使用される円板体選別装置であって、装置本体の両側面上の前記ボスの位置が、Ｕ字孔の位置が異なる複数の取付部材に対応するように、前記ボスが嵌合する嵌合孔を複数具え、前記ボスを嵌着可能とした。
【発明の効果】
【００１０】
本願発明によれば、取付部材側に設けられたＵ字孔の位置や形状が異なっても、簡単に円板体選別装置側のボス位置を取付部材側のＵ字孔の位置に合わせることができ、円板体選別装置を取り付けることが可能になる。
【発明を実施するための最良の形態】
【００１１】
以下本願発明に係る実施例を説明する。図１は本願発明による円板体選別装置の第１の実施例を示す外観概念斜視図である。
【００１２】
図１の１は円板体選別装置であって、円板体選別装置１の装置本体は、略矩形状の筐体の装置であって、円板体選別装置の装置本体の上面に設けられた円板体投入口３と、一方の側面に設けられた適正円板体の出口４と、底面に設けられた図示しない不適正な円板体の出口とを備えている。
【００１３】
また円板体選別装置１の左右の側面には、取付部材へ円板体選別装置１を取り付けるためのボス５を固定する嵌合孔６が複数設けられている。円板体選別装置の左右の両側面は、板状の壁からなり、嵌合孔６は、該壁を貫通している。また嵌合孔６は、取付部材に設けられるＵ字孔の位置の種類に対応して設けられており、第一の実施例では、円板体選別装置１の両側面に、3箇所ずつ嵌合計６箇所に嵌合孔６が設けられている。
【００１４】
装置１の両側面の上部に設けられた嵌合孔６には、前記のボス５が嵌合して固定されている。なお、本実施例のボスは全て同一形状である。また、嵌合孔６が設けられた円板体選別装置の側面を構成する部材は弾性のある樹脂から成る。
【００１５】
図１の円板体選別装置１の右側の図は、取付部材３０の一例を示している。
【００１６】
取付部材３０はＵ字孔を２つのみ備えたタイプの取付部材である。取付部材３０には、円板体選別装置の両側面を挟むように設けられた一対の壁３１、３２と、円板体選別装置のボスが嵌合する長孔のＵ字孔３３、３４が設けられている。
【００１７】
図２は、第１の実施例における円板体選別装置１の嵌合孔６とボス５の嵌合を説明するための拡大斜視図である。図２の左側に示す図が装置側面に設けられた嵌合孔６を拡大した図であり、右側に示す図がボス５の拡大図であって、ボス５が嵌合孔６に嵌合していない状態を示している。
【００１８】
ボス５は、取付部材のＵ字孔へと嵌合する円柱形状の凸部７と、円板体選別装置１の本体側面に設けられた嵌合孔６にボス５を嵌合させた際にボス５を装置側面に固定するための嵌合部８から成る。
【００１９】
嵌合部８は、嵌合孔６に嵌合可能な軸部９と該軸部９の先端に設けられた押さえ部１０からなる。軸部９の直径は、凸部７および押さえ部１０よりも小さな径である。また凸部７から押さえ部１０までの軸部９の幅は、円板体選別装置の側面の板状の壁の厚さより若干広い。
【００２０】
装置本体１に設けられた嵌合孔６の孔の直径は、凸部７および押さえ部１０の直径よりも小さく、前記ボス５の軸部９よりも若干大きい。
【００２１】
また嵌合孔６は、ボス５の軸部９を嵌合孔６へと案内する案内スリット１１と繋がっている。案内スリット１１のスリットの高さ方向の幅は軸部９が挿入可能な幅であって、凸部７や押さえ部１０が挿入で出来ない幅である。案内スリット１１と嵌合孔６とが繋がる部分には、スリットの高さ方向の幅が該軸部９の径よりも若干狭い乗り越え部１２が設けられている。また案内スリット１１が嵌合部６と繋がっている部分とは反対の端部は、装置本体側面の後端と繋がった込み形状となっている。
【００２２】
ボス５を嵌合孔６へ取り付ける際には、ボス５を指で摘んで装置本体の側面の後端側に開いた案内スリット１１の切り込みからボス５の軸部９を係合させ、案内スリット１１と乗り越え部１２を介して軸部９を嵌合孔７へと軸部９を案内する。このとき乗り越え部１２のスリット幅は軸部９の径よりも狭いが、該装置本体の側面は弾性のある樹脂から成るため若干変形するため、軸部９を通過させることが可能である。
【００２３】
嵌合孔６へ嵌合したボス５の軸部９は、案内スリット１１の方向への移動が乗り越え部１２によって阻止されるとともに、装置側面の側板を凸部１３と押さえ部１０により挟み込んだ状態となりボス５が装置本体へ嵌合状態で固定される。
【００２４】
また、嵌合孔６に嵌合して固定されたボス５は、指でつまんで、乗り越え部１２を通過させて案内スリット１１の切り込み入口まで移動させることで装置本体から取外せる。
【００２５】
つぎに、本願発明の第２の実施例について説明する。図３は本発明の第２の実施例を説明するための拡大斜視図である。第２の実施例における円板体選別装置の装置本体の構成とボスの形状は実施例１と同じであって、ボスを装置本体へ嵌合させる嵌合孔形状が第１の実施例とは異なる。
【００２６】
第２の実施例の嵌合孔１３の直径は、第一の実施例と同様にボス５の凸部７および押さえ部１０の直径よりも小さく、軸部９よりも若干大きい。
【００２７】
また嵌合孔１３は、押さえ部１０が挿入可能な案内孔１４と連結しており、該案内孔１４と嵌合孔１３が連結する部分には、該軸部９の径よりも若干幅が狭い乗り越え部１５が設けられている。
【００２８】
ボス５を嵌合孔１３へ取り付ける際には、ボス５を指で摘んで装置側面の案内孔１４へボス５の押さえ部１０と軸部９を挿入し、軸部９を乗り越え部１５を介して嵌合孔１３へと案内する。このとき乗り越え部１５のスリット幅は軸部９の径よりも狭いが、該装置本体の側面は弾性のある樹脂から成るため若干変形しながら軸部９を通過させることが可能である。
【００２９】
嵌合孔１３へ嵌合したボス５の嵌合部８は、案内孔１４の方向への移動が乗り越え部１５によって阻止されるとともに、装置側面の側板を凸部１３と押さえ部１０により挟み込んだ状態となって、ボス５が装置本体へ嵌合状態で固定される。
【００３０】
また、嵌合孔１３に嵌合して固定されたボス５は、指でつまんで、案内孔１４へと移動させることで、簡単に取外すことができる。
【００３１】
つぎに、本願発明の第３の実施例について説明する。図４は、本発明の第３の実施例を説明するための拡大斜視図である。第３の実施例における円板体選別装置の装置本体の構成は実施例１の構成と同じであって、ボスを装置本体へ嵌合させる嵌合孔形状とボスの嵌合部の形状が第１の実施例とは異なる。図３の左側の図は第３の実施例であるボス１６を示しており、右側の図には第３の実施例である嵌合孔２４示している。
【００３２】
図３に示すボス１６は、取付部材のＵ字孔へと嵌合する円柱形状の凸部１７と、嵌合部１８から成る。
【００３３】
嵌合部１８は、ボス１６を装置本体の嵌合孔へ嵌合した状態において円板体選別装置の側面の板状の壁を両側から挟んでボス１６を固定する押さえ部Ａ２０および押さえ部Ｂ２１、と該押さえ部Ａ２０と押さえ部Ｂ２１の間に設けられた軸部１９から成る。押さえ部Ａ２０は、ボス１６の軸を中心として横方向へ伸びた2つの腕片２０ａと２０ｂから成り、各腕片２０ａと２０ｂの端部には突起部２２ａと２２ｂが設けられている。押さえ部Ｂ２１は、ボス１６の軸を中心として縦方向へ伸びた2つの腕片２１ａと２１ｂから成る。また、押さえ部Ａ２０の腕片２０ａ及び２０ｂは、押さえ部Ｂ２２の腕片２２ａおよび２２ｂよりも軸部１９から腕片先端までの長さが短い。
【００３４】
軸部１９を挟んだ押さえ部Ａ２０から押さえ部Ｂ２１までの幅は、円板体選別装置の側面の板状の壁とほぼ同じ幅である。また軸部１９を挟んだ押さえ部Ａ２０の端部に設けられた突起部２２ａ及び２２ｂから押さえ部Ｂの腕片２１ａおよび２１ｂまでの幅は、円板体選別装置の側面の板状の壁の厚さより狭い。なお、ボス１６は弾性からなる樹脂によって成形されている。
【００３５】
装置本体に設けられた嵌合孔２４は、軸部１９が挿入可能な中心孔２３と該中心孔２３の中心から横方向に伸びた長孔２６ａと長孔２６ｂを備えており、長孔２６ａ、２６ｂの長さは、押さえ部Ａの腕片２０、２０ｂよりも長く、押さえ部Ｂ２１の腕片２１ａ、２１ｂよりも短く、嵌合孔２４は、ボス１６の軸部１９と押さえ部Ａ２０が挿入可能になっている。
【００３６】
ボス１６を嵌合孔２４へ取り付ける際には、嵌合部２４へ、ボス１６の押さえ部Ａ２０と軸部１９を挿入する。次にボス１６の軸を中心にボス１６を、ボス１６の押さえ部Ａの腕片２０ａ、２０ｂが嵌合孔２４の長孔２６ａ、２６ｂからずれる位置まで回転させる。このとき突起部２２ａ及び２２ｂから押さえ部２１ａおよび２１ｂまでの幅は、円板体選別装置の側面の板状の壁の厚さより狭いため、押さえ部２１ａ、２１ｂが若干変形して装置本体の側面壁面を挟み込んだ状態となりボス１６が嵌合状態で固定される。
【００３７】
また、嵌合孔２４に嵌合して固定されたボス１６は、回転させて嵌合孔２４の長孔２６ａと長孔２６ｂと押さえ部Ａの腕片２０ａ、２０ｂの位置を一致させることで装置本体から取外せる。
【００３８】
このように、本実施例によれば、図１に示すようなＵ字孔が２箇所に設けられた取付部材３０の場合には、円板体選別装置に設けられた６つ嵌合孔のうち、両側面の上側の２箇所の嵌合孔にボスを取り付けることで、取り付け部材３０へと取り付けることが可能となる。また、図５に示すようなＵ字孔が４箇所に設けられた取付部材１０７の場合には、円板体選別装置に設けられた６つ嵌合孔のうち、両側面の上下の４箇所の嵌合孔にボスを取り付けることで、取り付け部材１０７へと取り付けることが可能となる。したがって円板体選別装置を設置する取付部材に設けられたＵ字孔の位置や形状や数が異なっても取り付けることが可能である。
【００３９】
なお、実施例では円板体選別装置に設けられた計６箇所のボスに設けられた凸部の形状は同一となっているが、本発明のボスは、Ｕ字部の形状に合わせて大きさや形の異なる凸部を備えたボスとすることも可能である。また、本実施例の円板体選別装置は６箇所に嵌合部を設けているが、より多くの嵌合部を設けることもできる。
【図面の簡単な説明】
【００４０】
【図１】本願発明による円板体選別装置の第一の実施例を示す外観概念斜視図。
【図２】第１の実施例の円板体選別装置１の嵌合孔とボスを説明するための拡大斜視図。
【図３】第２の実施例を説明するための拡大斜視図。
【図４】第３の実施例を説明するための拡大斜視図。
【図５】従来技術を説明するための概念斜視図。
【符号の説明】
【００４１】
１  円板体選別装置
３  円板体投入口
４  適正円板体の出口
５  ボス
６  嵌合孔
７  凸部
８  嵌合部
９  軸部
１０  押さえ部
１１  案内スリット
１２  乗り越え部
１３  嵌合孔
１４  案内孔
１５  乗り越え部
１６  ボス
１７  凸部
１８  嵌合部
１９  軸部
２０  押さえ部Ａ
２０ａ、２０ｂ  押さえ部Ａの腕片
２１  押さえ部Ｂ
２１ａ、２１ｂ押さえ部Ｂの腕片
２２ａ、２２ｂ  突起部
２３  中心孔
２４  嵌合孔
２５ａ  長孔ａ
２５ｂ  長孔ｂ
３０  取付部材
３１、３２  壁
３２、３３  Ｕ字孔
１００  円板体選別装置
１０１  円板体投入口
１０２  適正円板体の出口
１０３、１０４、１０５、１０６  凸部
１０７  取付部材
１０８、１０９  壁
１１０、１１１、１１２、１１３  Ｕ字孔
【図１】
2009116534.tif 000003
【図２】
2009116534.tif 000004
【図３】
2009116534.tif 000005
【図４】
2009116534.tif 000006
【図５】
2009116534.tif 000007